(57)【要約】      （修正有）【課題】従来、表面（外側）に適宜な模様または図柄を印刷等で装飾したり立体的に表したりした絆創膏は各種存在するが、形そのものは横に長い楕円形のものしか存在せず、興趣性やアクセサリー的要素には乏しい面があった。そこで、表面や通気口の形にデザイン性をもたせた極めて興趣性・アクセサリー性に富んだユニークな絆創膏を提供する。【解決手段】通常の傷を覆うに足りる長さを備えた粘着テープにおける粘着層の面中央部にガーゼを配置し、当該粘着層に中央部切断重合剥離紙を重合させてなる絆創膏であって、粘着テープの表面そのものの形が花,動物,魚,植物,文字,天体,ハート,乗り物,楽器,果物,キャラクターのうちいずれかの図形を形成が任意の形状を形成し、更に、その表面全体又は中央部のガーゼ部分と接する部分に設けた通気口の形状が、前記粘着テープの見かけ形状に対応した形状であることもある絆創膏。【選択図】図１
0003139783.tif 000002
【実用新案登録請求の範囲】
【請求項１】
通常の傷を覆うに足りる長さを備えた粘着テープの表面そのものの形が花,動物,魚,植  物,文字,天体,ハート,乗り物,楽器,果物,キャラクターのうちいずれかの図形を形成して  いることを特徴とする絆創膏。
【請求項２】
前記粘着テープにおける粘着層の面中央部にガーゼを配置し、当該粘着層に中央部切   断重合剥離紙を重合させてなることを特徴とする請求項１記載の絆創膏。
【請求項３】
前記粘着テープにおいて、その表面全体又は中央部のガーゼ部分と接する部分に設け  た通気口の形状が、前記粘着テープの見かけ形状に対応した形状であることを特徴と  する請求項１又は２記載の絆創膏。
【考案の詳細な説明】
【技術分野】
【０００１】
本考案は、表面そのものの形が花,動物,魚,植物,文字,天体,ハート,乗り物,楽器,果物,キ  ャラクターのうちいずれかの図形を形成した絆創膏に関するものである。
【背景技術】
【０００２】
従来、表面（外側）に適宜な模様または図柄を印刷等で装飾したり（
【特許文献１】実開昭６１−１０６２２５号公報
【特許文献２】実開平０６−２６８３２号公報参照）、  立体的に表したり（
【特許文献３】実登３１２８０４８参照）した絆創膏は各種存在  するが、形そのものは横に長い楕円形のものしか存在せず、表面そのものの形が花,動  物,魚,植物,文字,天体,ハート,乗り物,楽器,果物,キャラクターのうちいずれかの図形を形  成している絆創膏はいまだ提供されていなかった。
【考案の開示】
【考案が解決しようとする課題】
【０００３】
上述したように、従来、表面（外側）に適宜な模様または図柄を印刷等で装飾したり  立体的に表したりした絆創膏は各種存在するが、形そのものは横に長い楕円形のもの  しか存在せず、興趣性やアクセサリー的要素には乏しい面があった。
【０００４】
本考案は、絆創膏の表面そのものの形が花,動物,魚,植物,文字,天体,ハート,乗り物,楽器,  果物,キャラクターのうちいずれかの図形を形成し、しかも通気口が見かけ形状に対応  するなどユニークなデザイン性に富み、興趣性が著しく高められた絆創膏の提供を図   り、もって、従来の絆創膏が具えていない着用時の装飾性を高めた絆創膏という新規   の製品の提供を図ったものである。
【課題を解決するための手段】
【０００５】
本考案は請求項１に記載のように、通常の傷を覆うに足りる長さを備えた粘着テープ  の表面が上記の形状を形成していることを特徴とする絆創膏に係る。
【０００６】
そして、請求項２に記載のように、前記粘着テープにおける粘着層の面中央部にガー  ゼを配置し、当該粘着層に中央部切断重合剥離紙を重合させてなることを特徴とする  請求項１記載の絆創膏として実施することができる。
【０００７】
更に、請求項３に記載のように、前記粘着テープにおいて、その表面全体又は中央部  のガーゼ部分と接する部分に設けた通気口の形状が、前記粘着テープの見かけ形状に   対応した形状であることを特徴とする請求項１又は２記載の絆創膏としても実施する   ことができる。
【考案の効果】
【０００８】
本考案に係る絆創膏は、請求項１に記載のように、通常の傷を覆うに足りる長さを備  えた粘着テープの表面が、上記の形状を形成したことによって、通常その装着に基づ  き痛々しさを感じさせる絆創膏が、興趣性に富んだ一種のアクセサリー的効果を醸し  出すこととなる。
そして、図形を模ったものであることから、装着に基づき無味乾燥的な感じが生じる   ことなく、一種の遊び的効果を奏することとなり、けがをした時に持つ子どもの傷に   対しての痛みや怖さを和らげることとなる。
【０００９】
本考案に係る絆創膏は、請求項２に記載したような構成、すなわち、前記粘着テープ  における粘着層の面中央部にガーゼを配置し、当該粘着層に中央部切断重合剥離紙を  重合させてなる絆創膏であって、当該粘着テープの表面が、任意の形状を形成するよ  うに構成することによって、前記した請求項１の場合と同様な作用効果を奏すること  となる。
【００１０】
本考案に係る絆創膏は、請求項３に記載したような構成、前記粘着テープにおいて、  その表面全体又は中央部のガーゼ部分と接する部分に設けた通気口の形状が、前記粘  着テープの見かけ形状に対応した形状であることを特徴とする請求項１又は２記載の  絆創膏としても実施することができ、前記した請求項１又は２の場合と同様な作用効  果をより奏することとなる。
同時に、絆創膏の表面の形状にもデザイン性をもたせることで、興趣性がより一層高  められる。
【考案を実施するための最良の形態】
【００１１】
以下、本発明の実施の形態を図１〜図４に基づいて説明する。
【００１２】
図においては、１は粘着テープで、粘着層２、ガーゼ３、剥離紙４,５、通気口６,７,   ８,９。通常の傷を覆うに足りる長さを備えた粘着テープ１は下面に粘着層２を形成し  て成る粘着テープであって、当該粘着層２の中央部分には、患部を覆うためのガーゼ   ３が取り付けてある。そして、当該粘着層２には、これの左半分と右半分とを分割し   て覆い、かつその重合中央部において互いに剥離可能とするように形成した剥離紙４,   ５が設けられている。なお、このような構成は従来この種の絆創膏における基本的な   形態であり、公的技術に属するものである。
【００１３】
本考案は、上述したように、前記粘着テープ１の粘着面中央部にガーゼ３を配置し、  当該粘着面に対して中央部切断の重合剥離紙４,５を重合させて成る公知の絆創膏にお  いて、その粘着テープ１の見かけ形状が花,動物,魚,植物,文字,天体,ハート,乗り物,楽器,  果物,キャラクターのうちいずれかの図形を形成していることを特徴とするものであ    る。
【００１４】
図１,２,３において、７,８,９は上記粘着テープ１の表面に形成した通気口であって、  見かけ形状に対応した形状にすることによってデザイン性を持たせたものである。
【００１５】
そして、図示の実施例にあっては魚,花,ハート形を表してあるが、これに限定される   ものでは全く無く、花,動物,魚,植物,文字,天体,ハート,乗り物,楽器,果物,キャラクター  のうちいずれかの図形のものであって可とする。
【００１６】
更に、本考案は粘着テープ１の下面にガーゼ３を設けない単なる絆創膏に対する実施  も可能である。
【００１７】
本考案の使用は、通常の絆創膏と同様に、中央部切断重合剥離紙４,５を剥離した状態  で患部に粘着して使用に供するものである。これにより患部は、アクセサリー効果を  醸し出す絆創膏で覆われることとなる。
【図面の簡単な説明】
【００１８】
【図１】（A）本考案の実施例となる魚形の絆創膏の要部を表した平面図        （B）本考案の実施例となる魚形の絆創膏の要部を表した底面図
【図２】（A）本考案の実施例となる花形の絆創膏の要部を表した平面図        （B）本考案の実施例となる花形の絆創膏の要部を表した底面図
【図３】（A）本考案の実施例となるハート形の絆創膏の要部を表した平面図        （B）本考案の実施例となるハート形の絆創膏の要部を表した底面図
【図４】本考案の実施例となる絆創膏の側面図
【符号の説明】
【００１９】
１     粘着テープ
２     粘着層
３     ガーゼ
４,５   剥離紙
６,７,８,９  通気口
【図１】
0003139783.tif 000003
【図２】
0003139783.tif 000004
【図３】
0003139783.tif 000005
【図４】
0003139783.tif 000006